(57)【要約】      （修正有）【課題】  複数の筆記軸が収納されて、複数の筆記軸の中から選択的に１つの筆記軸の先端を軸筒の先端開口から突出可能とした回転繰出し式筆記具において、筆記軸の収納状態にあるときに、筆記軸の先端が軸筒の先端開口から突出することを防ぎ、確実に収納状態を維持する。【解決手段】  軸筒１２内には、回転カム本体２２と、各筆記軸の後端部に連結され回転カム本体２２に対して相対回転するスライダ３２と、スライダ３２を回転カム本体２２に向けて付勢するスプリング３４とが設けられており、１つのスライダ３２が係止凹部２２ｄに係止されることにより、選択的に該スライダ３２に連結された筆記軸３０の先端が軸筒１２の先端開口１４ａから突出した状態を維持し、少なくとも１つのスライダ３２が第２係止部２２ｅに係止されることにより、全スライダ３２に連結された筆記軸３０の先端が軸筒１２の先端開口１４ａから退没した状態を維持する。【選択図】  図１
2006272666.tif 000002
【特許請求の範囲】
【請求項１】
軸筒内に複数の筆記軸が収納されて、該複数の筆記軸の中から選択的に１つの筆記軸の先端を軸筒の先端開口から突出可能とした回転繰出し式筆記具において、
軸筒内には、回転カム本体と、各筆記軸の後端部に連結され回転カム本体に対して相対回転するスライダと、スライダを回転カム本体に向けて付勢する弾性部材とが設けられており、
前記回転カム本体には、前方に向けて突出するカム突起が形成されて、カム突起の頂点部分には係止部が形成されており、前記回転カム本体のカム突起の頂点部分以外には、少なくとも１つの第２係止部が形成されており、
１つのスライダが前記係止部に係止されることにより、選択的に該スライダに連結された筆記軸の先端が軸筒の先端開口から突出した状態を維持し、少なくとも１つのスライダが前記第２係止部に係止されることにより、全スライダに連結された筆記軸の先端が軸筒の先端開口から退没した状態を維持することを特徴とする回転繰出し式筆記具。
【請求項２】
前記第２係止部は、Ｖ字状のカム突起の傾斜途中に形成されることを特徴とする請求項１記載の回転繰出し式筆記具。
【請求項３】
前記回転カム本体には、カム突起以外に、前方に向けて突出するＶ字状の小カム突起が形成されており、前記第２係止部は、小カム突起の頂点に形成されることを特徴とする請求項１記載の回転繰出し式筆記具。
【請求項４】
前記カム突起の両端から周方向に沿って伸びて連続した部分に、前記第２係止部が形成されることを特徴とする請求項１記載の回転繰出し式筆記具。
【請求項５】
前記第２係止部によるスライダに対する係止力は、前記係止部によるスライダに対する係止力よりも小さいことを特徴とする請求項１ないし４のいずれか１項に記載の回転繰出し式筆記具。
【発明の詳細な説明】
【技術分野】
【０００１】
本発明は、例えば、ポールペン筆記軸、シャープペンシル筆記軸、消しゴム筆記軸、コンピュータ入力用筆記軸等の任意の複数の筆記軸が収納されて、回転カム本体とスライダとの協働により、該複数の筆記軸の中から選択的に１つの筆記軸の先端を軸筒の先端開口から突出可能とし、全ての筆記軸の先端を軸筒の先端開口から退没可能とした回転繰出し式筆記具に関する。
【背景技術】
【０００２】
従来、この種の回転繰出し式筆記具としては、回転カム本体とスライダとの協働により、複数の筆記軸の中から選択的に１つの筆記軸の先端を軸筒の先端開口から突出可能とし、全ての筆記軸の先端を軸筒の先端開口から退没可能とすることが一般的に行なわれており、かかる回転カム本体とスライダとの間の作動として、特許文献１に記載されたものが知られている。
【０００３】
特許文献１では、回転カム本体を回転させたときに、スライダを押し上げる山形カム部の上げ側傾斜面とスライダを滑り下ろす下げ側傾斜面とによって筆記軸を出没させるようにした回転繰出し式筆記具において、山形カム部は、先行する筆記軸に対応するスライダが下げ側傾斜面上部に移動して筆記軸の先端を軸筒の先端開口から退没させた状態で、後続する筆記軸に対応するスライダが上げ側傾斜面基部に位置するように構成している。これによって、使用者により、完全に筆記軸の先端が軸筒の先端開口から退没するまで回転カムが回転されなかった場合であっても、回転カム本体の回転は、スライダを付勢するスプリングの弾発力によって筆記軸の先端が軸筒先端口内に完全に退没するまで止まることがないようにすることができる。
【０００４】
【特許文献１】特開２００１−７１６７９号公報
【発明の開示】
【発明が解決しようとする課題】
【０００５】
しかしながら、従来の回転繰出し式筆記具では、スプリングの弾発力にのみ頼って、退没する状態になるようにしているために、確実性が低いという問題がある。例えば、全筆記軸の先端が退没するべき状態にあるときに、回転カム本体とスライダとの間で不用意に相対回転が発生してしまうと、筆記軸の先端が軸筒の先端開口から不用意に突出することを防ぐことができない、という問題がある。
【０００６】
本発明は、かかる問題に鑑みなされたもので、収納状態にあるときに、筆記軸の先端が軸筒の先端開口から突出することを防ぎ、確実に収納状態を維持することができる回転繰出し式筆記具を提供することをその目的とする。
【課題を解決するための手段】
【０００７】
上記目的を達成するために、本発明のうち請求項１記載の発明は、軸筒内に複数の筆記軸が収納されて、該複数の筆記軸の中から選択的に１つの筆記軸の先端を軸筒の先端開口から突出可能とした回転繰出し式筆記具において、
軸筒内には、回転カム本体と、各筆記軸の後端部に連結され回転カム本体に対して相対回転するスライダと、スライダを回転カム本体に向けて付勢する弾性部材とが設けられており、
前記回転カム本体には、前方に向けて突出するカム突起が形成されて、カム突起の頂点部分には係止部が形成されており、前記回転カム本体のカム突起の頂点部分以外には、少なくとも１つの第２係止部が形成されており、
１つのスライダが前記係止部に係止されることにより、選択的に該スライダに連結された筆記軸の先端が軸筒の先端開口から突出した状態を維持し、少なくとも１つのスライダが前記第２係止部に係止されることにより、全スライダに連結された筆記軸の先端が軸筒の先端開口から退没した状態を維持することを特徴とする。
【０００８】
請求項２記載の発明は、請求項１記載の前記第２係止部が、Ｖ字状のカム突起の傾斜途中に形成されることを特徴とする。
【０００９】
請求項３記載の発明は、請求項１記載の前記回転カム本体に、カム突起以外に、前方に向けて突出するＶ字状の小カム突起が形成されており、前記第２係止部は、小カム突起の頂点に形成されることを特徴とする。
【００１０】
請求項４記載の発明は、請求項１記載の前記カム突起の両端から周方向に沿って伸びて連続した部分に、前記第２係止部が形成されることを特徴とする。
【００１１】
請求項５記載の発明は、請求項１ないし４のいずれか１項に記載のものにおいて、前記第２係止部によるカムの係止力が、前記係止部によるカムの係止力よりも小さいことを特徴とする。
【発明の効果】
【００１２】
本発明によれば、１つのスライダがカム突起の係止部に係止されることにより、選択的に該スライダに連結された筆記軸の先端が軸筒の先端開口から突出して使用に供することができ、また、少なくとも１つのスライダが第２係止部に係止されることにより、全スライダに連結された筆記軸の先端が軸筒の先端開口から退没することができ、収納状態とすることができる。スライダが第２係止部に拘束されることによって、収納状態を確実に維持することができ、不用意に筆記軸の先端が軸筒の先端開口から突出することを防ぐことができる。また、スライダが第２係止部に係止する際に、使用者が係止される感覚を得ることができるので、完全に収納されたことを使用者に知らしめることができる。
【００１３】
第２係止部によるスライダに対する係止力が、前記係止部によるスライダに対する係止力よりも小さいようにすると、すべての筆記軸が軸筒内に収納されている収納状態からいずれかの筆記軸を使用するために操作したときに、スライダが第２係止部から簡単に外れることができる。これに対して、いずれかの筆記軸を使用中は、スライダが係止部から簡単に外れることがなく、安定して使用することができる。
【発明を実施するための最良の形態】
【００１４】
以下、図面を用いて本発明の実施の形態を説明する。
図１ないし図５は、本発明の回転繰出し式筆記具の第１実施形態を表す図である。図において、回転繰出し式筆記具１０は、軸筒１２を備えている。軸筒１２は、先軸筒１４と後軸筒１６とからなる。
【００１５】
先軸筒１４と後軸筒１６からなる軸筒１２内に複数（この例では３本）の筆記軸３０、３０、３０が収納される。この例では、１本の筆記軸３０はシャープペンシル筆記軸、残りの２本の筆記軸３０は、色の異なるボールペン筆記軸とすることができるが、これに限らず、これらを含む消しゴム筆記軸、コンピュータ入力用筆記軸等の任意の筆記軸の組み合わせとすることができる。
【００１６】
先軸筒１４の先端開口１４ａが軸筒１２の先端開口となり、この先端開口１４ａから複数の筆記軸３０、３０、３０の先端のいずれかが選択的に突出する。
【００１７】
先軸筒１４と後軸筒１６とは、嵌合筒１８によって着脱可能に且つ互いに相対回転可能に連結される。嵌合筒１８は、後軸筒１６内で該後軸筒１６に対して回転可能に配置される案内筒２０にカシメ結合され、後軸筒１６の先端から突出しており、この突出している部分に先軸筒１４が着脱可能に嵌合される。そして、嵌合筒１８の後軸筒１６の先端から突出している部分には、適宜嵌合タボが形成されて嵌合力が高められており、先軸筒１４が嵌合筒１８に連結されると両者は一体的に回転するようになっている。
【００１８】
後軸筒１６内には回転カム本体２２が固定される。回転カム本体２２の内部段部２２ａに前記案内筒２０の後端の係止鍔２０ａが係止されており、これによって、案内筒２０が後軸筒１６内で相対回転可能となっている。
【００１９】
案内筒２０には、各筆記軸３０に対応して、軸方向に伸びる案内溝２０ｂ（図２参照）が形成されており、この案内溝２０ｂに筆記軸３０に連結されるスライダ３２が摺動可能に配置される。スライダ３２と案内筒２０の中間部に設けられた仕切部２０ｃとの間には、筆記軸３０の周囲に巻回された弾性部材としてのスプリング３４が介挿されており、スプリング３４がスライダ３２を後方へと常時付勢している。尚、スライダ３２は、筆記軸３０と一体部品でも別体の部品でもよい。
【００２０】
回転カム本体２２には、前方に向けて突出するＶ字状のカム突起２２ｂが形成されている。図４に示したように、カム突起２２ｂには、これに沿って、前方に面するカム面としての端面２２ｃが形成されている。そして、端面２２ｃは、カム突起２２ｂ両端からは周方向に伸びて連続している。このカム突起２２ｂのＶ字状の頂点部分には、係止部としての係止凹部２２ｄが形成されている。
【００２１】
また、Ｖ字状のカム突起２２ｂの端面２２ｃの傾斜途中には、第２係止部としての非傾斜部分となった段部２２ｅが形成されている。段部２２ｅは、Ｖ字状の頂点部分と麓部分との中間付近に形成される。
【００２２】
一方、スライダ３２の外周面にはカム３２ａが形成されており、このカム３２ａに沿って後方に面する摺接面３２ｂがＶ字状に伸びている。スプリング３４によって後方へと付勢されるスライダ３２のカム３２ａの摺接面３２ｂは、前記端面２２ｃに押圧され摺接される。
【００２３】
回転カム本体２２の後方には、消しゴム受台２４が固着され、消しゴム受台２４に消しゴム２６が挿入され、消しゴムカバー２８が被着されている。また、消しゴム受台２４と後軸筒１６の後端との間には、クリップ２９の基部が挟着されており、クリップ２９の本体は、後軸筒１６に沿って伸びている。
【００２４】
以上のように構成される回転繰出し式筆記具１０において、その操作を説明する。
図３及び図５（ｂ）に示す状態から、後軸筒１６を先軸筒１４に対して回転すると、後軸筒１６に固定された回転カム本体２２が一緒に回転する。一方、先軸筒１４に対して一体的に回転するようになっている嵌合筒１８及び嵌合筒１８に連結された案内筒２０は回転しないため、案内筒２０と回転カム本体２２との間には相対回転が発生する。よって、案内筒２０の案内溝２０ｂにあるスライダ３２と回転カム本体２２との間に相対回転が発生して、スライダ３２のカム３２ａの摺接面３２ｂが回転カム本体２２の端面２２ｃに沿って移動する。しかして、１つのスライダ３２のカム３２ａが回転カム本体２２のカム突起２２ｂの端面２２ｃの係止凹部２２ｄに到達して、その係止凹部２２ｄに係止されると、そのスライダ３２及びそれに連結される筆記軸３０は前進し、筆記軸３０の先端が先軸筒１４の先端開口１４ａから突出した状態を維持して、使用に供される（図２及び図５（ａ））。
【００２５】
他のスライダ３２のカム３２ａは、回転カム本体２２の端面２２ｃのカム突起２２ｂの麓部分に到達して、スライダ３２及びそれに連結される筆記軸３０は退没した状態を維持する。
【００２６】
次に、突出している筆記軸３０の使用が終了して収納したい場合には、後軸筒１６を再び先軸筒１４に対して少し強く回転すると、回転カム本体２２のカム突起２２ｂの係止凹部２２ｄに係止しているスライダ３２のカム３２ａが係止凹部２２ｄから脱出して、端面２２ｃを移動し、図３及び図５（ｂ）に示すような状態になると、２つのスライダ３２のカム３２ａは、カム突起２２ｂの第２係止部２２ｅにおいて係止し、すべての筆記軸３０が退没した収納状態を維持する。このように、２つのスライダ３２が第２係止部２２ｅに係止され、位置が規制されているために、不用意にスライダ３２が移動することを防ぐことができる。また、退没操作を行なう際に、使用者は、スライダ３２のカム３２ａが第２係止部２２ｅに係止されるクリック感を得ることができるので、完全に収納されたことを知ることができる。
【００２７】
こうして、複数の筆記軸３０が軸筒１２内において、その軸筒１２の周方向に沿って回転移動することで、順次１つの筆記軸３０が軸筒１２の先端から突出した状態と、全ての筆記軸３０が退没した状態とを繰り返すことができる。
【００２８】
図６及び図７は、本発明の回転繰出し式筆記具の第２実施形態を表す図である。この実施形態では、回転カム本体２２の構成のみが第１実施形態と異なっている。即ち、回転カム本体２２の先端部の端面２２ｃのＶ字状のカム突起２２ｂが形成されている部分と反対側にある周方向に伸びている部分に、Ｖ字状の小カム突起２２ｆが形成されており、この小カム突起２２ｆの頂点に第２係止部としての第２係止凹部２２ｇが形成されている。小カム突起２２ｆの前方突出量は、カム突起２２ｂのものよりは小さくなっている。
【００２９】
この実施形態では、１つの筆記軸３０が前進状態にあり、この筆記軸３０に連結されたスライダ３２のカム３２ａが係止凹部２２ｄに係止されている状態は、第１実施形態と同じであり、残りのスライダ３２のカム３２ａは、回転カム本体２２の端面２２ｃのカム突起２２ｂの麓部分に到達して、スライダ３２及びそれに連結される筆記軸３０は退没した状態を維持する。この状態から、後軸筒１６を先軸筒１４に対して回転して、上記スライダ３２のカム３２ａが係止凹部２２ｄから脱出して、図７（ｂ）を経て図７（ｃ）に示すような状態になると、別のスライダ３２のカム３２ａが第２係止凹部２２ｇに係止される。この状態では、すべての筆記軸３０が退没した状態となっており、さらに１つのスライダ３２が第２係止凹部２２ｇに拘束されているので、スライダ３２の不用意な移動が阻止され、確実に収納状態を維持することができる。この際に、使用者は、１つのスライダ３２のカム３２ａが第２係止凹部２２ｇに係止されるクリック感を得ることができ、完全に収納できたことを知ることができる。
【００３０】
さらに、後軸筒１６の先軸筒１４に対する回転を繰り返していくと、図７（ｃ）から図７（ｆ）に示す状態となり順次、異なるスライダ３２が係止凹部２２ｄと第２係止凹部２２ｇに係止して、突出状態と退没状態とを繰り返すことができる。
【００３１】
図８及び図９は、本発明の回転繰出し式筆記具の第３実施形態を表す図である。この実施形態では、カム本体２２の先端部の端面２２ｃのＶ字状のカム突起２２ｂが形成されている部分と反対側にあり、カム突起２２ｂの麓部分から周方向に伸びている部分に、第２係止部としての第２係止凹部２２ｈが形成されている点で第１実施形態と異なっている。
【００３２】
この実施形態では、１つの筆記軸３０が前進状態にあり、この筆記軸３０に連結されたスライダ３２のカム３２ａが係止凹部２２ｄに係止されている状態は、第１実施形態と同じである。この状態から、後軸筒１６を先軸筒１４に対して回転して、上記スライダ３２のカム３２ａが係止凹部２２ｄから脱出して、図９（ａ）に示すような状態になると、別のスライダ３２のカム３２ａが第２係止凹部２２ｈに係止される（図９（ｂ））。この状態では、すべての筆記軸３０が退没した状態となっており、さらに１つのスライダ３２のカム３２ａが第２係止凹部２２ｈに拘束されているので、スライダ３２の不用意な移動が阻止されるために、確実に収納状態を維持することができる。
【００３３】
また、退没操作を行う際に、使用者は、１つのスライダ３２のカム３２ａが第２係止凹部２２ｈに係止されるクリック感を得ることができ、確実に収納できたことを知ることができる。
【００３４】
尚、以上の実施形態において、第２係止部が係止凹部で構成される場合には、凹部の深さを係止凹部２２ｄよりも浅いものとする等して、第２係止部を係止凹部２２ｄよりも係止力が小さいものとすることもできる。この場合、小さい力で簡単に第２係止部からの係止を解除し、いずれか１つの筆記軸３０を前進させる操作をすることができる。
尚、以上の実施形態において、カム突起はＶ字状としたが、これに限るものではなく、リブ状等の任意の形状とすることができる。
【図面の簡単な説明】
【００３５】
【図１】本発明の回転繰出し式筆記具の第１実施形態を表す縦断面図である（尚、図中、案内筒の後部については、図の上部のみ断面図となっている）。
【図２】１つの筆記軸が突出した状態における回転カム本体、案内筒、スライダ及び先軸筒の関係を表す説明図であり、（ａ）は回転カム本体のカム突起側から見た図、（ｂ）は（ａ）と反対側から見た図である。
【図３】すべての筆記軸が退没した状態における回転カム本体、案内筒、スライダ及び先軸筒の関係を表す説明図であり、（ａ）は回転カム本体のカム突起側から見た図、（ｂ）は（ａ）と反対側から見た図である。
【図４】回転カム本体のカム突起と、スライダのカムとの関係を表す拡大展開図である。
【図５】回転カム本体とスライダのカムとの関係を表す図であり、（ａ）が１つの筆記軸が突出した状態、（ｂ）がすべての筆記軸が退没した状態である。
【図６】本発明の回転繰出し式筆記具の第２実施形態を表す、カム突起とスライダのカムとの関係を表す展開図である。
【図７】第２実施形態の動作説明図である。
【図８】本発明の回転繰出し式筆記具の第３実施形態を表す、図３（ｂ）に相当する図である。
【図９】第３実施形態のカム本体とスライダのカムとの関係を表す図であり、（ａ）が１つの筆記軸が突出した状態、（ｂ）がすべての筆記軸が退没した状態である。
【符号の説明】
【００３６】
１０  回転繰出し式筆記具
１２  軸筒
１４ａ  先端開口
２２  回転カム本体
２２ｂ  カム突起
２２ｄ  係止凹部（係止部）２２ｅ  第２係止部
２２ｆ  小カム突起
２２ｇ  係止凹部（第２係止部）
２２ｈ  係止凹部（第２係止部）
３０  筆記軸
３２  スライダ
３４  スプリング（弾性部材）
【図１】
2006272666.tif 000003
【図２】
2006272666.tif 000004
【図３】
2006272666.tif 000005
【図４】
2006272666.tif 000006
【図５】
2006272666.tif 000007
【図６】
2006272666.tif 000008
【図７】
2006272666.tif 000009
【図８】
2006272666.tif 000010
【図９】
2006272666.tif 000011